(57)【要約】【課題】  基準電圧発生回路の製造ばらつきの影響を受けることなく、また安定した基準電位が得られ、さらに電流出力の状態に影響されることなく安定したＧＮＤ電位を維持してクロストークの発生を除去し得る電流駆動回路を提供する。【解決手段】  外部回路から供給する制御信号に応じてオン／オフ制御される各スイッチＳＷ1乃至ＳＷ4とトランジスタＴｒ１乃至Ｔｒ４とで形成する直列接続の複数組を互いに並列に接続して電流生成回路Ｃ１、Ｃ２、・・・Ｃｎを形成し、直線状に配設した複数の素子に前記各電流生成回路を介して電流を供給することにより前記各素子を駆動するものであって、各電流生成回路に駆動用の基準電圧を印加する基準電圧源Ｖ０，Ｖ１を２個設け、各基準電圧源を基準電圧線Ｌrefで接続するとともに、前記基準電圧線の間に前記各電流生成回路を並べて接続した。【選択図】  図４
2006243098.tif 000002
【特許請求の範囲】
【請求項１】
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記各電流生成回路に駆動用の基準電圧を印加する基準電圧源を複数個設け、各基準電
圧源を基準電圧線で接続するとともに、前記基準電圧線の間に前記各電流生成回路を並べ
て接続したことを特徴とする駆動回路。
【請求項２】
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記各電流生成回路に、その出力状態によらず常に一定の電流を流す定電流部をそれぞ
れ設ける一方、各定電流部はその駆動用の基準電圧を印加する基準電圧源に基準電圧線を
介してそれぞれ接続するとともに、前記各トランジスタは各定電流部とカレントミラー回
路をそれぞれ形成するように構成したことを特徴とする駆動回路。
【請求項３】
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記電流生成回路を複数個づつ含む複数のブロックに分割して各ブロック毎に、これに
属する各電流生成回路の出力状態によらず常に一定の電流を流す定電流部をそれぞれ設け
る一方、各定電流部はその駆動用の基準電圧を印加する基準電圧源に基準電圧線を介して
接続するとともに、前記各トランジスタはこれが属する前記ブロックの各定電流部とカレ
ントミラー回路をそれぞれ形成するように構成したことを特徴とする駆動回路。
【請求項４】
請求項２又は請求項３の駆動回路において、
前記定電流部に駆動用の基準電圧を印加する基準電圧源を複数個設け、各基準電圧源を
基準電圧線で接続するとともに、前記基準電圧線の間に前記各定電流部を並べて接続した
ことを特徴とする駆動回路。
【請求項５】
請求項１乃至請求項４の何れか一つの駆動回路において、
前記各スイッチ手段と所定の電流を流すトランジスタとで形成する直列接続の複数組を
、各電流生成回路内で直列に接続した一つのスイッチ手段と一つのトランジスタとで置き
換え、前記スイッチ手段を外部回路で形成した制御信号であるＰＷＭ信号でオン／オフ制
御するように構成したことを特徴とする駆動回路。
【請求項６】
請求項１乃至請求項５の何れか一つの駆動回路において、
前記基準電圧源は、前記各電流生成回路の前記各トランジスタ、各電流生成回路の前記
定電流部又は複数の電流生成回路を含む前記ブロックの定電流部とカレントミラー回路を
構成するよう、直列に接続した電流源と飽和結合したトランジスタとで構成したことを特
徴とする駆動回路。
【請求項７】
階調信号により発光輝度が制御される発光素子をマトリクス状に配設して所定の画像を
表示するように構成した電気光学装置において、
前記階調信号となる電流信号を、前記各発光素子に供給する駆動回路として請求項１乃
至請求項６の何れか一つの駆動回路を組み込んだことを特徴とする電気光学装置。
【請求項８】
画像を表示する表示手段として請求項７に記載する電気光学装置を備えたことを特徴と
する電子機器。
【発明の詳細な説明】
【技術分野】
【０００１】
本発明は駆動回路、電気光学装置及びこれを有する電子機器に関し、特に発光素子の発
光階調の設定を電流プログラム方式で行う電気光学装置の駆動回路として有用なものであ
る。
【背景技術】
【０００２】
液晶表示装置に代わる電気光学装置として、有機発光ダイオード素子（以下、ＯＬＥＤ
素子と称する。）を備えた装置が注目されている。ＯＬＥＤ（Organic Light Emitting D
iode）素子は、電気的にはダイオードのように動作し、光学的には、順バイアス時に発光
して順バイアス電流の増加にともなって発光輝度が増加する。
【０００３】
ＯＬＥＤ素子をマトリクス状に配列したアクティブマトリクス駆動方式の電気光学装置
は、複数の走査線と、複数のデータ線を備え、走査線とデータ線の交差部に対応して画素
回路が設けられている。すなわち、マトリクス状に配設した画素回路で表示部である画素
領域を形成している。ここで、画素回路は、データ線から供給される電流の値を記憶し、
記憶した電流値に対応する駆動電流をＯＬＥＤ素子に供給する機能を有する。
【０００４】
また、かかる電気光学装置においては、複数のデータ線に対して表示すべき階調に応じ
た電流信号を各々供給するデータ線駆動回路が設けられている。データ線駆動回路は、複
数のデータ線の各々に対応した電流出力型のＤＡ変換器を複数備えるのが一般的である。
電流出力型のＤＡ変換器は、カレントミラー回路を用いた複数の電流源を備え、各電流源
の出力をデジタル信号の値に応じて選択して、これを電流信号として出力する。すなわち
、電流出力型のＤＡ変換器はＤＡ変換器としても機能する駆動回路と考えることができる
。
【０００５】
図１０は従来技術に係るこの種の駆動回路を示す回路図である。同図に示すように、当
該駆動回路は、前記各データ線に対応した数の電流生成回路Ｃ１，Ｃ２，・・・，Ｃｎと
各電流生成回路Ｃ１，Ｃ２，・・・，Ｃｎの駆動用の基準電圧Ｖrefを供給する基準電圧
源Ｖ０とからなる。ここで、電流生成回路Ｃ１は相互に並列に接続した複数個（図では４
個）のトランジスタＴｒ１乃至Ｔｒ４を有しており、前記データ線１０３の１本に接続し
てある。各トランジスタＴｒ１乃至Ｔｒ４はスイッチＳＷ１乃至ＳＷ４の投入により前記
データ線１０３に接続され、それぞれ電流Ｉo1乃至Ｉo4を流す。ここで各電流Ｉo1乃至Ｉ
o4の比が１：２：４：８となるようにトランジスタＴｒ１乃至Ｔｒ４を選定してある。
【０００６】
データ線１０３に流れる電流信号Ｉdata１はスイッチＳＷ１乃至ＳＷ４のオン／オフ状
態の組み合わせにより一意に規定される。すなわち、階調信号の階調データを構成する階
調成分の各ビット信号で前記スイッチＳＷ１乃至ＳＷ４のオン／オフを制御することによ
り前記電流信号Ｉdata１を所定の値に制御することができる。アクティブマトリクス駆動
方式では電流信号Ｉdata１でこれに対応する階調信号を得ている。
【０００７】
かかる構成は、他の電流生成回路Ｃ２，・・・，Ｃｎに関しても全く同様であるので、
代表して電流生成回路Ｃ１についてのみ説明し、重複する説明は省略する。なお、各電流
生成回路Ｃ２，・・・，Ｃｎは対応する各データ線１０３に電流Ｉdata2，・・・，Ｉdat
aｎを流す。
【０００８】
一方、基準電圧源Ｖ０は直列に接続した定電流源Ｉ０と飽和結合したトランジスタＴｒ
０とで構成してあり、定電流Ｉrefにより規定される基準電圧Ｖrefを生成する。基準電圧
Ｖrefは基準電圧線Ｌrefを介して各トランジスタＴｒ１乃至Ｔｒ４のゲートに共通に印加
されている。この結果、基準電圧源Ｖ０の定電流源Ｉ０及びトランジスタＴｒ０で形成す
る回路と各トランジスタＴｒ１乃至Ｔｒ４で形成する回路とはカレントミラー回路を構成
している。
なお、この種の技術を開示する公知文献として次の特許文献１を挙げることができる。
【０００９】
【特許文献１】特開２００３−２３３３４７号公報
【発明の開示】
【発明が解決しようとする課題】
【００１０】
上述の如き駆動回路には次のような問題がある。
１）  定電流源Ｉ０と飽和結合したトランジスタＴｒ０とで構成した基準電圧源Ｖ０が１
個であるため、素子の製造ばらつきの影響を大きく受ける。ちなみに、定電流Ｉrefは通
常トランジスタにより生成するため、その製造ばらつきの影響を大きく受ける。
２）  基準電圧源Ｖ０から電流生成回路Ｃ１，Ｃ２，・・・，Ｃｎまでの基準電圧線Ｌre
fを介した物理的な距離が長いところでは、距離が長い上にハイインピーダンス配線とな
るので基準電圧Ｖrefの電位が安定しない。
３）  各電流生成回路Ｃ１，Ｃ２，・・・，Ｃｎの電流出力の状態によって、換言すれば
各電流生成回路Ｃ１，Ｃ２，・・・，ＣｎのトランジスタＴｒ１乃至Ｔｒ４のオン／オフ
状態によってＧＮＤ電位（低位基準電位）が変化し、クロストークが発生する。
【００１１】
本発明は、上記従来技術に鑑み、基準電圧発生回路の製造ばらつきの影響を受けること
なく、また安定した基準電位が得られ、さらに電流出力の状態に影響されることなく安定
したＧＮＤ電位を維持してクロストークの発生を除去し得る駆動回路、電気光学装置及び
これを有する電子機器を提供することを目的とする。
【課題を解決するための手段】
【００１２】
上記課題を解決するための本発明の第１の態様に係る駆動回路は、
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記各電流生成回路に駆動用の基準電圧を印加する基準電圧源を複数個設け、各基準電
圧源を基準電圧線で接続するとともに、前記基準電圧線の間に前記各電流生成回路を並べ
て接続したことを特徴とする。
【００１３】
本発明の第２の態様に係る駆動回路は、
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記各電流生成回路に、その出力状態によらず常に一定の電流を流す定電流部をそれぞ
れ設ける一方、各定電流部はその駆動用の基準電圧を印加する基準電圧源に基準電圧線を
介してそれぞれ接続するとともに、前記各トランジスタは各定電流部とカレントミラー回
路をそれぞれ形成するように構成したことを特徴とする。
【００１４】
本発明の第３の態様に係る駆動回路は、
外部回路から供給される制御信号に応じてオン／オフ制御される各スイッチ手段と所定
の電流を流すトランジスタとで構成された複数の回路ブロックを互いに並列に接続して形
成された複数の電流加算型の電流生成回路を有する一方、直線状に配設された複数の素子
に前記各電流生成回路を介して電流を供給することにより前記各素子を駆動する駆動回路
において、
前記電流生成回路を複数個づつ含む複数のブロックに分割して各ブロック毎に、これに
属する各電流生成回路の出力状態によらず常に一定の電流を流す定電流部をそれぞれ設け
る一方、各定電流部はその駆動用の基準電圧を印加する基準電圧源に基準電圧線を介して
接続するとともに、前記各トランジスタはこれが属する前記ブロックの各定電流部とカレ
ントミラー回路をそれぞれ形成するように構成したことを特徴とする。
【００１５】
本発明の第４の態様に係る駆動回路は、
上記第２又は３の態様の駆動回路において、前記定電流部に駆動用の基準電圧を印加する
基準電圧源を複数個設け、各基準電圧源を基準電圧線で接続するとともに、前記基準電圧
線の間に前記各定電流部を並べて接続したことを特徴とする。
【００１６】
本発明の第５の態様に係る駆動回路は、
上記第１乃至第４の態様の何れか一つの駆動回路において、前記各スイッチ手段と所定
の電流を流すトランジスタとで形成する直列接続の複数組を、各電流生成回路内で直列に
接続した一つのスイッチ手段と一つのトランジスタとで置き換え、前記スイッチ手段を外
部回路で形成した制御信号であるＰＷＭ信号でオン／オフ制御するように構成したことを
特徴とする。
【００１７】
本発明の第６の態様に係る駆動回路は、
上記第１乃至第５の態様に係る何れか一つの駆動回路において、前記基準電圧源は、前
記各電流生成回路の前記各トランジスタ、各電流生成回路の前記定電流部又は複数の電流
生成回路を含む前記ブロックの定電流部とカレントミラー回路を構成するよう、直列に接
続した電流源と飽和結合したトランジスタとで構成したことを特徴とする駆動回路。
【００１８】
本発明の第７の態様に係る電気光学装置は、
階調信号により発光輝度が制御される発光素子をマトリクス状に配設して所定の画像を
表示するように構成した電気光学装置において、
前記階調信号となる電流信号を、前記各発光素子に供給する駆動回路として上記第１の
態様乃至第６の態様の何れか一つの駆動回路を組み込んだことを特徴とする。
【００１９】
本発明の第８の態様に係る電子機器は、
画像を表示する表示手段として上記第７の態様の電気光学装置を備えたことを特徴とす
る。
【発明を実施するための最良の形態】
【００２０】
以下、本発明の実施の形態を図面に基づき詳細に説明する。なお、本実施の形態の説明
は例示であり、本発明の構成は以下の説明に限定されない。
【００２１】
＜第１の実施の形態＞
図１は本発明の第１の実施の形態に係る電気光学装置Ｉの概略構成を示すブロック図で
ある。同図に示すように、電気光学装置Ｉは、画素領域Ａ、走査線駆動回路１００、デー
タ線駆動回路２００、制御回路３００及び電源回路５００を備える。これらのうち、画素
領域Ａには、Ｘ方向と平行にｍ本の走査線１０１及びｍ本の発光制御線１０２が形成され
、さらにＸ方向と直交するＹ方向と平行にｎ本のデータ線１０３が形成されている。そし
て、走査線１０１とデータ線１０３との各交差点に対応してＯＬＥＤ素子を含む画素回路
４００が各々設けられている。各画素回路４００には、電源電圧ＶＤＤが電源線Ｌを介し
て供給される。
【００２２】
走査線駆動回路１００は、複数の走査線１０１を順次選択するための走査信号Ｙ１、Ｙ
２、Ｙ３、・・・、Ｙｍを生成すると共に発光制御信号Ｖｇ１、Ｖｇ２、Ｖｇ３、・・・
、Ｖｇｍを生成する。走査信号Ｙ１〜Ｙｍ及び発光制御信号Ｖｇ１〜ＶｇｍはＹ転送開始
パルスＤＹをＹクロック信号ＹＣＬＫに同期して順次転送することにより生成される。発
光制御信号Ｖｇ１、Ｖｇ２、Ｖｇ３、・・・、Ｖｇｍは、各発光制御線１０２を介して各
画素回路４００に各々供給される。
【００２３】
図２に走査信号Ｙ１〜Ｙｍと発光制御信号Ｖｇ１〜Ｖｇｍのタイミングチャートの一例
を示す。走査信号Ｙ１は、１垂直走査期間（１Ｆ）の最初のタイミングから、１水平走査
期間（１Ｈ）に相当する幅のパルスであって、１行目の走査線１０１に供給される。以降
、このパルスを順次シフトして、２、３、・・・、ｍ行目の走査線１０１の各々に走査信
号Ｙ２、Ｙ３、・・・、Ｙｍとして供給する。一般的にｉ（ｉは、１≦ｉ≦ｍを満たす整
数）行目の走査線１０１に供給される走査信号ＹｉがＨレベルになると、当該走査線１０
１が選択されたことを示す。また、発光制御信号Ｖｇ１、Ｖｇ２、Ｖｇ３、・・・、Ｖｇ
ｍとしては、例えば、走査信号Ｙ１、Ｙ２、Ｙ３、・・・、Ｙｍの論理レベルを反転した
信号を用いる。
【００２４】
データ線駆動回路２００は、出力階調データＤｏｕｔに基づいて、選択された走査線１
０１に位置する画素回路４００の各々に対しその階調を表す電流信号Ｉdata1、Ｉdata2、
Ｉdata3、Idata4、・・・、Ｉdatanを供給する。すなわち、本例においては、階調信号は
階調輝度を指示する電流信号Ｉdata1、Ｉdata2、Ｉdata3、Idata4、・・・、Ｉdatanとし
て与えられ、ｊ(ｊは、１≦ｊ≦ｎを満たす整数)列目のデータ線にはＩdatajが供給され
る。
【００２５】
制御回路３００は、Ｙクロック信号ＹＣＬＫ、Ｘクロック信号ＸＣＬＫ、Ｘ転送開始パ
ルスＤＸ、Ｙ転送開始パルスＤＹ等の各種の制御信号を生成してこれらを走査線駆動回路
１００及びデータ線駆動回路２００へ出力する。また、制御回路３００は、外部から供給
される入力階調データＤｉｎにガンマ補正等の画像処理を施して出力階調データＤｏｕｔ
を生成する。この出力階調データＤｏｕｔは、例えば８ビットの階調成分を所定の配列で
並べたものである。
【００２６】
次に、画素回路４００について説明する。図３に、画素回路４００の回路図を示す。同
図に示す画素回路４００は、ｉ行ｊ列目に対応するものであり、電源電圧ＶＤＤが供給さ
れる。画素回路４００は、４個のＴＦＴ４０１〜４０４と、容量素子４１０と、ＯＬＥＤ
素子４２０とを備える。ＴＦＴ４０１〜４０４の製造プロセスでは、レーザーアニールシ
ョットを利用してガラス基板の上にポリシリコン層が形成される。また、ＯＬＥＤ素子４
２０は、陽極と陰極との間に発光層が挟持されている。そして、ＯＬＥＤ素子４２０は、
順方向電流に応じた輝度で発光する。発光層には、発光色に応じた有機ＥＬ（Electrolum
inescence）材料が用いられる。発光層の製造プロセスでは、インクジェット方式のヘッ
ドから有機ＥＬ材料を液滴として吐出し、これを乾燥させている。
【００２７】
駆動トランジスタであるＴＦＴ４０１はｐチャネル型、スイッチングトランジスタであ
るＴＦＴ４０２〜４０４はｎチャネル型である。ＴＦＴ４０１のソース電極は電源線Ｌに
接続される一方、そのドレイン電極はＴＦＴ４０３のドレイン電極、ＴＦＴ４０４のドレ
イン電極及びＴＦＴ４０２のソース電極にそれぞれ接続される。
【００２８】
容量素子４１０の一端はＴＦＴ４０１のソース電極に接続される一方、その他端は、Ｔ
ＦＴ４０１のゲート電極及びＴＦＴ４０２のドレイン電極にそれぞれ接続される。ＴＦＴ
４０３のゲート電極は走査線１０１に接続され、そのソース電極は、データ線１０３に接
続される。また、ＴＦＴ４０２のゲート電極は走査線１０１に接続される。一方、ＴＦＴ
４０４のゲート電極は発光制御線１０２に接続され、そのソース電極はＯＬＥＤ素子４２
０の陽極に接続される。ＴＦＴ４０４のゲート電極には、発光制御線１０２を介して発光
制御信号Ｖｇｉが供給される。なお、ＯＬＥＤ素子４２０の陰極は、画素回路４００のす
べてに対して共通の電極であり、電源におけるＧＮＤ電位となっている。
【００２９】
このような構成において、走査信号ＹｉがＨレベルになると、ｎチャネル型ＴＦＴ４０
２がオン状態となるので、ＴＦＴ４０１は、ゲート電極とドレイン電極とが互いに接続さ
れたダイオードとして機能する。走査信号ＹｉがＨレベルになると、ｎチャネル型ＴＦＴ
４０３も、ＴＦＴ４０２と同様にオン状態となる。この結果、データ線駆動回路２００の
電流Ｉdataが、電源線Ｌ→ＴＦＴ４０１→ＴＦＴ４０３→データ線１０３という経路で流
れるとともに、そのときに、ＴＦＴ４０１のゲート電極の電位に応じた電荷が容量素子４
１０に蓄積される。
【００３０】
走査信号ＹｉがＬレベルになると、ＴＦＴ４０３、４０２はともにオフ状態となる。こ
のとき、ＴＦＴ４０１のゲート電極における入力インピーダンスは極めて高いので、容量
素子４１０における電荷の蓄積状態は変化しない。ＴＦＴ４０１のゲート・ソース間電圧
は、電流Ｉdataが流れたときの電圧に保持される。また、走査信号ＹｉがＬレベルになる
と、発光制御信号ＶｇｉがＨレベルとなる。このため、ＴＦＴ４０４がオンし、ＴＦＴ４
０１のソース・ドレイン間には、そのゲート電圧に応じた注入電流Ｉoledが流れる。詳細
には、この電流は、電源線Ｌ→ＴＦＴ４０１→ＴＦＴ４０４→ＯＬＥＤ素子４２０という
経路で流れる。
【００３１】
ここで、ＯＬＥＤ素子４２０に流れる注入電流Ｉoledは、ＴＦＴ４０１のゲート・ソー
ス間電圧で定まるが、その電圧は、Ｈレベルの走査信号Ｙｉによって電流Ｉdataがデータ
線１０３に流れたときに、容量素子４１０によって保持された電圧である。このため、発
光制御信号ＶｇｉがＨレベルになったときに、ＯＬＥＤ素子４２０に流れる注入電流Ｉol
edは、直前に流れた電流Ｉdataに略一致する。このように画素回路４００は、電流Ｉdata
によって発光輝度を規定することから、電流プログラム方式の回路である。
【００３２】
本形態は、データ線駆動回路２００の構成要素の一つである電流駆動回路に特徴を有す
るものであり、図４にこの電流駆動回路の詳細な構成を示す。同図に示すように、本形態
における電流駆動回路は、前記各データ線１０３（図１参照）に対応した数の電流生成回
路Ｃ１，Ｃ２，・・・，Ｃｎを有する。電流生成回路Ｃ１は相互に並列に接続した複数個
（図では４個）のトランジスタＴｒ１乃至Ｔｒ４を有しており、前記データ線１０３の１
本に接続してある。各トランジスタＴｒ１乃至Ｔｒ４はスイッチＳＷ１乃至ＳＷ４の投入
により前記データ線１０３に接続され、それぞれ電流Ｉo1乃至Ｉo4を流す。ここで各電流
Ｉo1乃至Ｉo4の比が１：２：４：８となるようにトランジスタＴｒ１乃至Ｔｒ４を選定し
てある。また、スイッチＳＷ１乃至ＳＷ４は階調データＤｏｕｔ（図１参照）を構成する
各ビット信号を制御信号としてオン／オフ制御される。
【００３３】
かくして、データ線１０３に流れる電流信号Ｉdata１はスイッチＳＷ１乃至ＳＷ４のオ
ン／オフ状態の組み合わせにより一意に規定される。すなわち、階調信号の階調データＤ
ｏｕｔを構成する階調成分の各ビット信号で前記スイッチＳＷ１乃至ＳＷ４のオン／オフ
を制御することにより前記電流信号Ｉdata１を所定の値に制御する。アクティブマトリク
ス駆動方式では電流信号Ｉdata１でこれに対応する階調信号を得ている。
【００３４】
かかる構成は、他の電流生成回路Ｃ２，Ｃ３に関しても全く同様であるので、代表して
電流生成回路Ｃ１についてのみ説明し、重複する説明は省略する。なお、各電流生成回路
Ｃ２，・・・，Ｃｎは対応する各データ線１０３に電流Ｉdata2，・・・，Ｉdataｎを流
す。
【００３５】
各電流生成回路Ｃ１，Ｃ２，・・・，Ｃｎに駆動用の基準電圧Ｖrefを印加する基準電
圧源Ｖ０，Ｖ１は、基準電圧線Ｌrefの両端部にそれぞれ接続してある。すなわち、本形
態では２個の基準電圧源Ｖ０，Ｖ１を有している。各電流生成回路Ｃ１，Ｃ２，・・・，
Ｃｎは、基準電圧線Ｌrefに沿って配設するとともに並列に接続してある。したがって、
各電流生成回路Ｃ１，Ｃ２，・・・，Ｃｎの各トランジスタＴｒ１乃至Ｔｒ４のゲートに
は基準電圧Ｖrefが印加された状態となっている。
【００３６】
また、各基準電圧源Ｖ０，Ｖ１は電流源Ｉ０と飽和結合したトランジスタＴｒ０とを直
列に接続してなり、前記各電流生成回路Ｃ１，Ｃ２，・・・，ＣｎのトランジスタＴｒ１
乃至Ｔｒ４の回路とカレントミラー回路を構成している。
【００３７】
かかる本形態によれば、各トランジスタＴｒ１乃至Ｔｒ４のゲートに対する基準電圧Ｖ
refは２個の基準電圧源Ｖ０，Ｖ１から供給する。このように、基準電圧源Ｖ０，Ｖ１を
２個有するので、これらの製造ばらつきを平均化することができる。
【００３８】
また、カレントミラーの最大距離が従来の半分になるので、基準電圧Ｖrefの安定化を
図ることができる。
【００３９】
ここで、基準電圧源Ｖ０，Ｖ１は基準電圧線Ｌrefで短絡してある。この結果、各準電
圧源Ｖ０，Ｖ１で形成する基準電圧Ｖrefに電位差があっても、基準電圧Ｖrefに流れる定
電流でその影響を最小限に抑え、基準電圧Ｖrefの安定化を図ることができる。
【００４０】
かくして、従来技術の１）乃至２）の問題を解消することができる。
【００４１】
＜第２の実施の形態＞
第１の実施の形態に係る電流駆動回路では従来技術の３番目の問題、すなわち各電流生
成回路Ｃ１，Ｃ２，・・・，Ｃｎの電流出力の状態によってＧＮＤ電位（低位基準電位）
が変化し、クロストークが発生するという問題を解決することはできない。この問題も他
の問題と同時に解決したのが本形態に係る電流駆動回路である。
【００４２】
図５は本形態に係る電流駆動回路を示す回路図である。同図に示すように、電流生成回
路Ｃ１１にはその出力状態、すなわちスイッチＳＷ１乃至ＳＷ４の動作状態によらず常に
一定の電流を流す定電流部を設けてある。この定電流部は、直列に接続した２個のトラン
ジスタＴｒ５、Ｔｒ６からなり、このうちトランジスタＴｒ６のゲートが基準電圧線Ｌre
fに接続してある。この結果、基準電圧源Ｖ０，Ｖ１とトランジスタＴｒ５、Ｔｒ６の回
路及びトランジスタＴｒ５、Ｔｒ６の回路とトランジスタＴｒ１乃至Ｔｒ４の回路とがカ
レントミラー回路を構成するようになっている。
【００４３】
かかる構成は、他の電流生成回路Ｃ１２，・・・，Ｃ１ｎに関しても全く同様であるの
で、代表して電流生成回路Ｃ１１についてのみ説明し、重複する説明は省略する。なお、
各電流生成回路Ｃ１２，・・・，Ｃ１ｎは対応する各データ線１０３に電流Ｉdata2，・
・・，Ｉdataｎを流す。
【００４４】
さらに、上述した部分以外の部分の構成は、図４に示す第１の実施の形態の場合と変わ
るところはない。そこで、同一部分には同一番号を付し、重複する説明は省略する。
【００４５】
かかる本形態によれば、トランジスタＴｒ５，Ｔｒ６からなる定電流部により出力端子
付近でカレントミラー回路を構成することができる。この結果、電源電圧ＶＤＤが変動し
ても電流Ｉdata１，Ｉdata2，・・・，Ｉdataｎに影響を与えることはない。また、定電
流部の電流はトランジスタＴｒ１乃至Ｔｒ４の状態に依存することなく一定である。すな
わち、基準電圧源Ｖ０，Ｖ１との間で形成するカレントミラー回路のソース電圧が動的に
変動しないため、電流Ｉdata１，Ｉdata2，・・・，Ｉdataｎが動的に変動することはな
く、クロストークを生起することもない。勿論、基準電圧源Ｖ０，Ｖ１を２個設けたこと
の作用・効果は第１の実施の形態の場合と同様である。
【００４６】
かくして、従来技術の１）乃至３）のすべての問題を解消することができる。
【００４７】
なお、本形態におけるトランジスタＴｒ１乃至Ｔｒ４はｐチャンネルのものを用いたが
、勿論図４に示すトランジスタＴｒ１乃至Ｔｒ４と同様にｎチャンネルのトランジスタＴ
ｒ１乃至Ｔｒ４を使用することもできる。この場合にはトランジスタＴｒ１乃至Ｔｒ４と
電源の極性を全て入れ替えるか、又はもう１段カレントミラー回路を追加すれば良い。カ
レントミラー回路をもう１段追加する場合、基準電圧源Ｖ０，Ｖ１、定電流部、トランジ
スタＴｒ１乃至Ｔｒ４の何れに追加しても問題はない。
【００４８】
＜第３の実施の形態＞
第２の実施の形態に係る電流駆動回路では従来技術の３番目の問題も含め、すべての問
題を解決することができる。ただ、３番目の問題に関連して次のような程度の問題が残る
。すなわち、第２の実施の形態によれば、確かにＧＮＤ電位の動的な変動は防止でき、そ
の分クロストークの可能性もなくなるが、トランジスタＴｒ１乃至Ｔｒ４を流れる電流の
状態によりＧＮＤ電位の静的な変動（基準電圧源Ｖ０，Ｖ１に物理的な距離が離れるにつ
れＧＮＤ電位が傾斜して上昇する。）は残る。かかる静的な変動を除去するには別途補正
手段を設ける必要がある。また、各電流生成回路Ｃ１，Ｃ２，・・・，Ｃｎに定電流部を
個別に設ける必要もある。かかる新たな問題を解決するのが本形態にかかる電流駆動回路
である。
【００４９】
図６は本形態に係る電流駆動回路を示す回路図である。同図に示すように、本形態に係
る電流駆動回路では、電流生成回路Ｃ１、Ｃ２、Ｃ３、Ｃ４・・・を複数個（本形態では
２個づつ）含む複数のブロックに分割して各ブロック（電流生成回路Ｃ１，Ｃ２、電流生
成回路Ｃ３、Ｃ４・・・）毎に、これに属する各電流生成回路Ｃ１、Ｃ２及び電流生成回
路Ｃ３、Ｃ４の出力状態によらず常に一定の電流を流す定電流部をそれぞれ設けてある。
各定電流部は、それぞれ直列に接続した２個のトランジスタＴｒ７１、Ｔｒ８１及びトラ
ンジスタＴｒ７２，Ｔｒ８２からなり、これらのうちのトランジスタＴｒ８１、Ｔｒ８２
のゲートが基準電圧線Ｌrefにそれぞれ接続してある。この結果、基準電圧源Ｖ０，Ｖ１
とトランジスタＴｒ７１、Ｔｒ８１の回路及びトランジスタＴｒ７２，Ｔｒ８２の回路、
並びにトランジスタＴｒ７１、Ｔｒ８１の回路及びトランジスタＴｒ７２，Ｔｒ８２の回
路と各電流生成回路Ｃ１、Ｃ２及び電流生成回路Ｃ３、Ｃ４の各トランジスタＴｒ１乃至
Ｔｒ４の回路とがそれぞれカレントミラー回路を構成するようになっている。
【００５０】
ここで、一つの定電流部に対応して各ブロックに属する電流生成回路Ｃ１，Ｃ２、電流
生成回路Ｃ３、Ｃ４の数、換言すれば定電流部の数には特別な制限はない。ただ、電気的
な特性を考慮すれば、各定電流部から各電流生成回路Ｃ１，Ｃ２、電流生成回路Ｃ３，Ｃ
４・・・までの配線長が均一になるほど好ましい。一方、各ブロックに含まれる電流生成
回路Ｃ１，Ｃ２，Ｃ３，Ｃ４・・・の数が多ければ多いほど定電流部の数を低減するとと
もに、トランジスタＴｒ１乃至Ｔｒ４を流れる電流の状態によるＧＮＤ電位の静的な変動
も抑制することができる。かかる相反する条件を考慮するとともに現実の実装のことを考
慮すると、２乃至３個の電流生成回路Ｃ１，Ｃ２，Ｃ３，Ｃ４・・・で一つのブロックを
形成して一つの定電流部を割り当てるのが適当である。
【００５１】
かかる構成は、他の電流生成回路Ｃ３，Ｃ４・・・等に関しても全く同様であるので、
代表して電流生成回路Ｃ１，Ｃ２についてのみ説明し、重複する説明は省略する。なお、
各電流生成回路Ｃ３，Ｃ４・・・は対応する各データ線１０３に電流Ｉdata3，Ｉdata4・
・・を流す。
【００５２】
さらに、上述した部分以外の部分の構成は、図４に示す第１の実施の形態の場合と変わ
るところはない。そこで、同一部分には同一番号を付し、重複する説明は省略する。
【００５３】
かかる本形態によれば、複数の電流生成回路Ｃ１，Ｃ２等とパラレルに定電流部がカレ
ントミラー回路を構成する。すなわち、複数の電流生成回路Ｃ１，Ｃ２等で定電流部での
電流消費が低減されるばかりでなく、回路全体の小型化を図ることもできる。さらに、静
的な電圧変動をブロック化する電流生成回路Ｃ１，Ｃ２，・・・の数分の１に低減し得る
。
【００５４】
＜他の実施の形態１＞
上記第２及び３の実施の形態においては、必ずしも２個の基準電圧源Ｖ０，Ｖ１を設け
る必要はない。前記従来技術の問題点のうち１）及び２）は解決できないが、３）の問題
点を解決することに限定すれば基準電圧源Ｖ０のみでも構わない。また、基準電圧源Ｖ０
，Ｖ１を２個に限定する必要もない。複数であれば従来技術の１）及び２）の問題点は解
決し得る。
【００５５】
＜他の実施の形態２＞
第１乃至第３の実施の形態においては、各電流生成回路Ｃ１，Ｃ２，・・・を複数のト
ランジスタＴｒ１乃至Ｔｒ４でそれぞれ構成したが、直列に接続した一つのスイッチ手段
と一つのトランジスタとで置き換えることもできる。この場合には、前記スイッチ手段を
外部回路で形成した制御信号である階調データに基づくＰＷＭ信号でオン／オフ制御する
ように構成する。
【００５６】
＜他の実施の形態３＞
上記第１乃至第３の実施の形態は、電気光学装置の電流駆動回路として説明したが、
直線上に配設した素子を電流駆動する用途には、特別な制限なく適用し得る。当然、アク
ティブマトリクス方式のものに限定する必要もない。パッシブマトリクス方式のものにも
同様に適用し得る。
【００５７】
＜応用例＞
次に、上述した実施の形態に係る電気光学装置Ｉを適用した電子機器について説明する
。図７に、電気光学装置Ｉを適用したモバイル型のパーソナルコンピュータの構成を示す
。パーソナルコンピュータ２０００は、表示ユニットとしての電気光学装置Ｉと本体部２
０１０を備える。本体部２０１０には、電源スイッチ２００１及びキーボード２００２が
設けられている。この電気光学装置ＩはＯＬＥＤ素子４２０を用いるので、視野角が広く
見易い画面を表示できる。
【００５８】
図８に、電気光学装置Ｉを適用した携帯電話機の構成を示す。携帯電話機３０００は、
複数の操作ボタン３００１及びスクロールボタン３００２、並びに表示ユニットとしての
電気光学装置Ｉを備える。スクロールボタン３００２を操作することによって、電気光学
装置Ｉに表示される画面がスクロールされる。
【００５９】
図９に、電気光学装置Ｉを適用した情報携帯端末（ＰＤＡ：Personal Digital Assista
nts）の構成を示す。情報携帯端末４０００は、複数の操作ボタン４００１及び電源スイ
ッチ４００２、並びに表示ユニットとしての電気光学装置Ｉを備える。電源スイッチ４０
０２を操作すると、住所録やスケジュール帳といった各種の情報が電気光学装置Ｉに表示
される。
【００６０】
さらに、フィールドエミッション素子（ＦＥＤ）、表面電動型エミッション素子（ＳＥ
Ｄ）、弾道電子放出素子（ＢＳＤ）等の自発光素子を用いた表示装置、光書き込み型のプ
リンタ乃至電子複写器等の書き込みヘッド等にも好適に適用し得る。
【００６１】
なお、電気光学装置Ｉが適用される電子機器としては、図７乃至図９に示すものの他、
デジタルスチルカメラ、液晶テレビ、ビューファインダ型、モニタ直視型のビデオテープ
レコーダ、カーナビゲーション装置、ページャ、電子手帳、電卓、ワードプロセッサ、ワ
ークステーション、テレビ電話、ＰＯＳ端末、タッチパネルを備えた機器等などが挙げら
れる。そして、これらの各種電子機器の表示部として、前述した電気光学装置が適用可能
である。
【図面の簡単な説明】
【００６２】
【図１】本発明の第１の実施の形態に係る電気光学装置を示すブロック図である。
【図２】図１における走査信号と発光制御信号のタイミングチャートである。
【図３】図１に示す電気光学装置における画素回路を示す回路図である。
【図４】本発明の第１の実施の形態に組み込む電流駆動回路を示す回路図である。
【図５】本発明の第２の実施の形態に係る電流駆動回路を示す回路図である。
【図６】本発明の第３の実施の形態に係る電流駆動回路を示す回路図である。
【図７】電気光学装置を適用したパーソナルコンピュータを示す斜視図である。
【図８】電気光学装置を適用した携帯電話機の構成を示す斜視図である。
【図９】電気光学装置を適用した携帯情報端末の構成を示す斜視図である。
【図１０】従来技術に係る電流駆動回路を示す回路図である。
【符号の説明】
【００６３】
１０２ 発光制御線、１０３ データ線、２００ データ線駆動回路、３００ 制御回路、４
００ 画素回路、４２０ 素子、５００ 電源回路、Ｃ１，Ｃ２，Ｃ３，Ｃ４ 電流生成回路
、Ｃ１１ 電流生成回路、Ｃ１２， 電流生成回路、ＳＷ１〜ＳＷ４ スイッチ、Ｔｒ１〜
Ｔｒ４ トランジスタ、Ｔｒ５，Ｔｒ６ トランジスタ、Ｔｒ７１，Ｔｒ７２，Ｔｒ８１，
Ｔｒ８２ トランジスタ、Ｖref 基準電圧、Ｖ０，Ｖ１ 基準電圧源、ＶＤＤ 電源電圧
【図１】
2006243098.tif 000003
【図２】
2006243098.tif 000004
【図３】
2006243098.tif 000005
【図４】
2006243098.tif 000006
【図５】
2006243098.tif 000007
【図６】
2006243098.tif 000008
【図７】
2006243098.tif 000009
【図８】
2006243098.tif 000010
【図９】
2006243098.tif 000011
【図１０】
2006243098.tif 000012